(57)【要約】【課題】利用者が関心のある番組であって盛り上がっている場面を煩雑な操作を行わずに確実に視聴することができる放送受信機を提供すること。【解決手段】車載装置１００は、利用者が関心のある関心事項を決定する関心事項決定部３２と、関心事項について話題の盛り上がりを検出する盛り上がり検出部３４と、話題の盛り上がりが検出された場合に放送中の番組についてのものか後日放送の番組についてのものかを判定する番組内容判定部３５と、盛り上がりが放送中の番組についてのものである場合にこの番組を受信してその内容を出力する番組受信切替部３６等と、盛り上がりが後日放送の番組についてのものである場合にこの番組の視聴あるいは記録を予約する番組予約部３７とを備える。【選択図】図１
2015095663.tif 000002
【特許請求の範囲】
【請求項１】
利用者が関心のある関心事項を決定する関心事項決定手段と、
前記関心事項決定手段によって決定された前記関心事項について、話題の盛り上がりを検出する盛り上がり検出手段と、
前記盛り上がり検出手段によって話題の盛り上がりが検出された場合に、この盛り上がりが現在放送中の番組の内容についてのものであるか、現時点よりも後に放送される番組の内容についてのものであるかを判定する番組内容判定手段と、
前記番組内容判定手段によって、盛り上がりが現在放送中の番組の内容についてのものである旨の判定が行われたときに、この現在放送中の番組を受信してその内容を出力する番組受信手段と、
前記番組内容判定手段によって、盛り上がりが現時点よりも後に放送される番組の内容についてのものである旨の判定が行われたときに、この番組の視聴あるいは記録を予約する番組予約手段と、
を備えることを特徴とする放送受信機。
【請求項２】
請求項１において、
前記関心事項決定手段は、過去に放送を受信した番組の内容に基づいて前記関心事項を決定することを特徴とする放送受信機。
【請求項３】
請求項２において、
前記関心事項決定手段は、過去に放送を受信した番組に対応するジャンルおよびキーワードの少なくとも一方を電子番組案内から抽出し、これらのジャンルおよびキーワードの少なくとも一方を前記関心事項として決定することを特徴とする放送受信機。
【請求項４】
請求項１〜３のいずれか一項において、
前記盛り上がり検出手段は、ソーシャル・ネットワーキング・サービスの投稿情報に基づいて、前記関心事項に対応する話題の盛り上がりを検出することを特徴とする放送受信機。
【請求項５】
請求項４において、
前記盛り上がり検出手段は、前記投稿情報に含まれるハッシュダグに基づいて、前記関心事項に対応する話題の盛り上がりを検出することを特徴とする放送受信機。
【発明の詳細な説明】
【技術分野】
【０００１】
本発明は、放送によって配信された番組を受信し、その内容を出力する放送受信機に関する。
【背景技術】
【０００２】
従来から、放送番組の視聴中断後に利用者が予期しないほど盛り上がったシーンを検出した場合に、その旨を利用者に通知するようにしたテレビジョン装置が知られている（例えば、特許文献１参照。）。このテレビジョン装置では、例えば、利用者が関心があるスポーツの実況中継番組を視聴していたが、試合内容がつまらなくて他の番組に切り替えたような場合に、その後、視聴を中止した実況中継番組が盛り上がったときにその旨が利用者に通知される。
【先行技術文献】
【特許文献】
【０００３】
【特許文献１】特開２０１０−１６１４８９号公報
【発明の概要】
【発明が解決しようとする課題】
【０００４】
ところで、上述した特許文献１に開示されたテレビジョン装置では、利用者が関心があって受信した後に視聴を中断した番組については、その後盛り上がったシーンになったときにその旨が通知されるため、利用者は、この通知を受け取ってから再度番組を切り替えてこの盛り上がったシーンを視聴することができる。しかし、その前提としてその番組を予め視聴する必要があるため、利用者が関心があっても放送日や放送時間がわからずに、あるいはこれらを知っていてもこの放送が開始時点を忘れているような場合には、例えばこの番組において盛り上がりのシーンが到来してもこの番組を視聴することができないという問題があった。
【０００５】
本発明は、このような点に鑑みて創作されたものであり、その目的は、利用者が関心のある番組であって盛り上がっている場面を煩雑な操作を行わずに確実に視聴することができる放送受信機を提供することにある。
【課題を解決するための手段】
【０００６】
上述した課題を解決するために、本発明の放送受信機は、利用者が関心のある関心事項を決定する関心事項決定手段と、関心事項決定手段によって決定された関心事項について、話題の盛り上がりを検出する盛り上がり検出手段と、盛り上がり検出手段によって話題の盛り上がりが検出された場合に、この盛り上がりが現在放送中の番組の内容についてのものであるか、現時点よりも後に放送される番組の内容についてのものであるかを判定する番組内容判定手段と、番組内容判定手段によって、盛り上がりが現在放送中の番組の内容についてのものである旨の判定が行われたときに、この現在放送中の番組を受信してその内容を出力する番組受信手段と、番組内容判定手段によって、盛り上がりが現時点よりも後に放送される番組の内容についてのものである旨の判定が行われたときに、この番組の視聴あるいは記録を予約する番組予約手段とを備えている。
【０００７】
利用者の関心事項について話題が盛り上がったときに、この盛り上がりの対象となる放送の有無が判定され、該当する現在放送中の番組が存在する場合にこの番組を受信して視聴する一連の動作を自動で行うことにより、利用者が関心のある番組であって盛り上がっている場面を煩雑な操作を行わずに確実に視聴することが可能となる。特に、後日放送予定の番組の紹介等を行うことにより話題が盛り上がった場合であっても、確実にその番組を視聴することができる。
【０００８】
また、上述した関心事項決定手段は、過去に放送を受信した番組の内容に基づいて関心事項を決定することが望ましい。過去に受信した番組の内容を調べることにより、利用者の好み等がわかるため、興味を持っている関心事項を知ることができる。
【０００９】
また、上述した関心事項決定手段は、過去に放送を受信した番組に対応するジャンルおよびキーワードの少なくとも一方を電子番組案内から抽出し、これらのジャンルおよびキーワードの少なくとも一方を関心事項として決定することが望ましい。これにより、容易に過去に受信した番組と関連する関心事項を設定することが可能となる。
【００１０】
また、上述した盛り上がり検出手段は、ソーシャル・ネットワーキング・サービスの投稿情報に基づいて、関心事項に対応する話題の盛り上がりを検出することが望ましい。ソーシャル・ネットワーキング・サービスを利用することにより、盛り上がりの有無を判定する対象となる人数を増やすことができ、利用者が関心のある番組に関する情報を広く広く入手することが可能となる。
【００１１】
また、上述した盛り上がり検出手段は、投稿情報に含まれるハッシュダグに基づいて、関心事項に対応する話題の盛り上がりを検出することが望ましい。これにより、ソーシャル・ネットワーキング・サービスにおいて盛り上がっている話題を容易かつ確実に知ることができる。
【図面の簡単な説明】
【００１２】
【図１】一実施形態の車載装置の構成を示す図である。
【図２】ＳＮＳの投稿情報に基づいて盛り上がりの有無を決定する動作手順を示す流れ図である。
【図３】ＳＮＳにおいて話題の盛り上がりがあったときに、対応する番組への切替や予約を行う動作手順を示す流れ図である。
【図４】盛り上がりの検出結果に応じて番組切替や番組予約を行う説明図である。
【発明を実施するための形態】
【００１３】
以下、本発明の放送受信機を適用した一実施形態の車載装置について、図面を参照しながら説明する。図１は、一実施形態の車載装置の構成を示す図である。図１に示すように、本実施形態の車載装置１００は、ディスクプレーヤ１２、ＴＶチューナ１４、ラジオチューナ１６、ハードディスク装置（ＨＤＤ）１８、制御部３０、操作部４０、通信装置４２、音声出力回路５０、スピーカ５２、映像出力回路６０、表示装置６２を含んで構成されている。
【００１４】
ディスクプレーヤ１２は、ディスク型記録媒体としてのＤＶＤ、ＣＤに記録された音声や映像を再生する。なお、本明細書における「音声」には人や動物などの音声の他に、楽器が発生する音や、人工的に合成された音なども含まれる。また、ＤＶＤやＣＤは一例であって、ブルーレイディスク等のその他のディスク型記録媒体を再生対象としてもよい。
【００１５】
ＴＶチューナ１４は、地上波デジタル放送を受信し、配信された各番組に対応する映像や音声の再生、視聴予約、録画予約を行う。ラジオチューナ１６は、ラジオ放送を受信し、配信された各番組に対応する音声を再生する。また、配信された番組が文字放送に対応している場合には、表示対象となる文字の表示処理が行われる。ハードディスク装置１８は、ＴＶチューナ１４で録画予約された番組を録画する場合に、この録画番組の圧縮映像データ等を格納する。これらのディスクプレーヤ１２、ＴＶチューナ１４、ラジオチューナ１６、ハードディスク装置１８のそれぞれが、操作部４０、通信装置４２、音声出力回路５０、映像出力回路６０とともに制御部３０に接続されている。
【００１６】
制御部３０は、車載装置１００の全体を制御するとともに、ディスクプレーヤ１２、ＴＶチューナ１４、ラジオチューナ１６のそれぞれに対応する音声情報を音声出力回路５０に向けて出力するとともに映像情報を映像出力回路６０に向けて出力する。また、制御部３０は、コンピュータとしての構成を有しており、ＲＯＭやＲＡＭに記憶された所定の動作プログラムをＣＰＵを用いて実行することにより実現される。
【００１７】
操作部４０は、利用者がディスクプレーヤ１２等の操作指示を行うためのものであり、各種のスイッチを備える。なお、表示装置６２の画面に装着されたタッチパネルを操作部４０として用い、画面に表示された操作ボタン等を利用者が指などで直接指し示して各種の操作指示や選択指示を行うようにしてもよい。
【００１８】
通信装置４２は、ソーシャル・ネットワーキング・サービス（以後、「ＳＮＳ」と称する）の投稿情報を取得するためのものであり、ＳＮＳサーバ（図示せず）との間でデータ通信を行う。最も一般的には携帯電話などが用いられるが、インターネットに接続可能であれば近距離通信モジュールや無線ＬＡＮモジュールなどを通信装置４２として用いるようにしてもよい。また、携帯電話を通信装置４２として用いる場合には、通信装置４２として車載装置１００に内蔵する場合の他に、所定のケーブルや無線通信方式によって接続して外付けの携帯電話を用いるようにしてもよい。
【００１９】
音声出力回路５０は、制御部３０から入力される音声情報に基づいて音声信号を生成し、車室内に設けられたスピーカ５２から出力する。映像出力回路６０は、制御部３０から入力される映像情報に基づいて映像信号を生成し、車室内に設けられた表示装置６２の画面にこの映像信号に対応する映像（画像）を表示する。
【００２０】
ところで、上述した車載装置１００は、ＳＮＳにおいて話題の盛り上がりがあったときに、この盛り上がりが現在放送中の地上波デジタル放送の番組内容についてのものである場合にはこの番組に切り替え、この盛り上がりが後日放送予定の番組内容についてのものである場合にはこの番組の視聴予約あるいは録画予約を行うようになっている。この動作を可能にするために、制御部３０は、ＥＰＧ（電子番組案内）取得部３１、関心事項決定部３２、投稿情報取得部３３、盛り上がり検出部３４、番組内容判定部３５、番組受信切替部３６、番組予約部３７を備えている。
【００２１】
ＥＰＧ取得部３１は、ＴＶチューナ１４によって地上波デジタル放送のＥＰＧを受信し、これを取得する。関心事項決定部３２は、過去に地上波デジタル放送を受信した番組の内容に基づいて、利用者が関心のある関心事項を決定する。具体的には、関心事項決定部３２は、過去に受信した番組に対応するジャンルおよびキーワードの少なくとも一方（望ましくは両方）をＥＰＧから抽出し、これらジャンルやキーワードを関心事項として決定する。例えば、番組のジャンルとして「音楽番組」や「サッカー」など、キーワードとして「出場アーティスト名」や「試合名」などが抽出される。また、ジャンルやキーワードは、抽出されたものが全て関心事項に該当するわけではなく、その中から抽出回数が多いもの（所定回数以上）、あるいは、抽出回数が上位にあるもの、などが選択されて一あるいは複数の関心事項が決定される。
【００２２】
投稿情報取得部３３は、通信装置４２を介してインターネット接続を行い、外部のＳＮＳサーバからＳＮＳの投稿情報を取得する。例えば、ＳＮＳの一つであるＴｗｉｔｔｅｒ（ツイッター、登録商標）の投稿情報（ツイート）を取得するものとする。なお、Ｆａｃｅｂｏｏｋ（フェイスブック、登録商標）やブログ、ミニブログ、マイクロブログなどの投稿情報を取得するようにしてもよい。
【００２３】
盛り上がり検出部３４は、関心事項決定部３２によって決定した関心事項について、話題の盛り上がりを検出する。
【００２４】
番組内容判定部３５は、盛り上がり検出部３４によって話題の盛り上がりが検出された場合に、この盛り上がりが現在放送中の番組の内容についてのものであるか、現時点よりも後に放送される番組の内容についてのものであるかを判定する。
【００２５】
番組受信切替部３６は、番組内容判定部３５によって盛り上がりが現在放送中の番組の内容についてのものである旨の判定が行われたときに、この現在放送中の番組を受信してその内容を出力（映像表示）する指示を行う。
【００２６】
番組予約部３７は、番組内容判定部３５によって盛り上がりが現時点よりも後に放送される番組の内容についてのものである旨の判定が行われたときに、この番組の視聴予約あるいは録画予約を行う。
【００２７】
上述した関心事項決定部３２が関心事項決定手段に、盛り上がり検出部３４が盛り上がり検出手段に、番組内容判定部３５が番組内容判定手段に、ＴＶチューナ１４、番組受信切替部３６、音声出力回路５０、スピーカ５２、映像出力回路６０、表示装置６２が番組受信手段に、番組予約部３７が番組予約手段にそれぞれ対応する。
【００２８】
本実施形態の車載装置１００はこのような構成を有しており、次に、その動作を説明する。図２は、ＳＮＳの投稿情報に基づいて盛り上がりの有無を決定する動作手順を示す流れ図である。投稿情報取得部３３がツイッターの投稿情報（ツイート）を取得すると（ステップ１００）、盛り上がり検出部３４は、この投稿情報が、関心事項決定部３２によって決定した関心事項に関するものであるか否かを判定する（ステップ１０２）。ツイッターの投稿情報の場合には、その内容識別に役立つハッシュタグ（＃○○）が付加されていることが多いため、このハッシュタグの内容が関心事項（出現回数が多いジャンルやキーワード）と一致（あるいは類似を含めてもよい）するか否かを調べることにより、ステップ１０２の判定が行われる。なお、ハッシュタグを用いるのではなく（あるいは、ハッシュタグとともに）投稿情報の内容自体に関心事項と一致する文字列が含まれるか否かを調べるようにしてもよい。関心事項と関係ない場合（ハッシュタグの内容が関心事項と一致しない場合）には否定判断が行われ、ステップ１００に戻って投稿情報の取得動作が繰り返される。
【００２９】
また、取得した投稿情報が関心事項に関するものである場合（ハッシュタグの内容が関心事項と一致する場合）には肯定判断が行われ、盛り上がり検出部３４は、この投稿情報を集計する（ステップ１０４）。集計は、関心事項毎に投稿情報の数を、一定時間にわたってカウントすることにより行われる。例えば、直前の数分間についてこれらのカウントが行われる。次に、盛り上がり検出部３４は、集計されたカウント値に基づいて関心事項毎の盛り上がりの有無を決定する（ステップ１０６）。例えば、所定数以上のカウント値を有する場合には関心事項について盛り上がったと判定され、所定数に達しないカウント値を有する場合には関心事項について盛り上がらなかったと判定される。このようにして盛り上がりの有無判定後、ステップ１００に戻って投稿情報の取得動作が繰り返される。
【００３０】
図３は、ＳＮＳにおいて話題の盛り上がりがあったときに、対応する番組への切替や予約を行う動作手順を示す流れ図である。番組内容判定部３５は、盛り上がり検出部３４によって盛り上がりが検出されたか否かを判定する（ステップ２００）。盛り上がりが検出されていない場合（図２のステップ１０６において「盛り上がりなし」と判定）には否定判断が行われ、この判定が繰り返される。また、盛り上がりが検出された場合（図２のステップ１０６において「盛り上がりあり」と判定）にはステップ２００の判定において肯定判断が行われる。
【００３１】
次に、番組内容判定部３５は、ＥＰＧ取得部３１を介してＥＰＧを取得し（ステップ２０２）、現在地上波デジタル放送で放送中の番組について盛り上がっているか否かを判定する（ステップ２０４）。具体的には、ＥＰＧに基づいて、現在放送中の各番組に対応するジャンルやキーワードを抽出し、これらのジャンルやキーワードが、盛り上がりの対象となっている関心事項と一致するか否かを調べることにより、現在放送中の番組についての盛り上がりの有無を知ることができる。放送中の番組について盛り上がっている場合にはステップ２０４の判定において肯定判断が行われる。
【００３２】
次に、番組受信切替部３６は、盛り上がっている放送中の番組の視聴を切り替える（ステップ２０６）。例えば、それまでディスクプレーヤ１２を用いてＤＶＤ再生が行われていた場合には、この再生動作が中断されて、ＴＶチューナ１４によって切替対象の番組受信が開始される。また、それまでＴＶチューナ１４によって別の番組を受信中の場合には、切替対象の番組受信に切り替えられる。さらに、それまでＤＶＤ再生動作や番組受信動作を行っていない場合には、新たにＴＶチューナ１４によって切替対象の番組受信が開始される。
【００３３】
次に、盛り上がり検出部３４は、このようにして切り替えられた番組について盛り下がったか否か、具体的には、図２のステップ１０６における判定結果が「盛り上がりあり」から「盛り上がりなし」に変化したか否かを判定する（ステップ２０８）。盛り下がっていない場合には否定判断が行われ、ステップ２０６に戻って番組視聴が継続される。また、盛り下がった場合にはステップ２０８の判定において肯定判断が行われ、番組受信切替部３６は、ステップ２０６において切り替えるまでの状態に戻す処理が行われる（ステップ２１０）。例えば、切替前にＤＶＤ再生が行われていた場合には、ＤＶＤ再生を中断箇所から再生する動作が行われる。その後、ステップ２００に戻って盛り上がり検出の有無判定が繰り返される。
【００３４】
また、盛り上がりが検出されたが現在放送中の番組について盛り上がっているわけではない場合にはステップ２０４の判定に否定判断が行われる。次に、番組内容判定部３５は、取得したＥＰＧに基づいて、後日放送の番組で盛り上がっているのか否かを判定する（ステップ２１２）。例えば、盛り上がり検出に用いられた投稿情報（ハッシュタグの内容が関心事項と一致した投稿情報）の内容を調べ、放送日時に関する記載を抽出し、この日時に放送している番組の中に、着目している関心事項と一致したジャンルやキーワードを有する番組があるか否かをＥＰＧに基づいて確認する。このような番組がある場合にはステップ２１２の判定において肯定判断が行われる。次に、番組予約部３７は、この番組の視聴予約あるいは録画予約を行う（ステップ２１４）。その後、ステップ２００に戻って盛り上がり検出の有無判定が繰り返される。なお、該当する番組がない場合にはステップ２１２において否定判断が行われ、ステップ２００に戻って盛り上がり検出の有無判定が繰り返される。
【００３５】
図４は、盛り上がりの検出結果に応じて番組切替や番組予約を行う説明図である。図４において、最初の盛り上がりａは、放送Ａの番組Ａ１の内容に関するものであり、盛り上がりを検出してから盛り下がりを検出するまで、ＤＶＤ再生動作が中断されて、番組Ａ１の視聴に切り替えられる。また、次の盛り上がりｂは、後日放送予定の番組Ｂ１についてのものであるため、盛り上がり検出時点ではＤＶＤ再生動作は中断されず、この後日放送予定の番組Ｂ１について視聴予約あるいは録画予約が行われる。
【００３６】
このように、本実施形態の車載装置１００では、利用者の関心事項について話題が盛り上がったときに、この盛り上がりの対象となる放送の有無が判定され、該当する現在放送中の番組が存在する場合にこの番組を受信して視聴する一連の動作を自動で行うことにより、利用者が関心のある番組であって盛り上がっている場面を煩雑な操作を行わずに確実に視聴することが可能となる。特に、後日放送予定の番組の紹介等を行うことにより話題が盛り上がった場合であっても、確実にその番組を視聴することができる。
【００３７】
また、過去に受信した番組の内容を調べることにより、利用者の好み等がわかるため、興味を持っている関心事項を知ることができる。特に、過去に放送を受信した番組に対応するジャンルおよびキーワードの少なくとも一方をＥＰＧから抽出し、これらのジャンルおよびキーワードの少なくとも一方を関心事項として決定しており、容易に過去に受信した番組と関連する関心事項を設定することが可能となる。
【００３８】
また、ＳＮＳを利用することにより、盛り上がりの有無を判定する対象となる人数を増やすことができ、利用者が関心のある番組に関する情報を広く入手することが可能となる。特に、ツイッターの投稿情報（ツイート）に含まれるハッシュダグに基づいて、関心事項に対応する話題の盛り上がりを検出することにより、ＳＮＳにおいて盛り上がっている話題を容易かつ確実に知ることができる。
【００３９】
なお、本発明は上記実施形態に限定されるものではなく、本発明の要旨の範囲内において種々の変形実施が可能である。例えば、上述した実施形態では、車両に搭載された車載装置１００について説明したが、車両以外に設置されたテレビジョン受信機やパーソナルコンピュータ等の家庭用あるいはその他の装置に本発明を適用することができる。
【産業上の利用可能性】
【００４０】
上述したように、本発明によれば、利用者の関心事項について話題が盛り上がったときに、この盛り上がりの対象となる放送の有無が判定され、該当する現在放送中の番組が存在する場合にこの番組を受信して視聴する一連の動作を自動で行うことにより、利用者が関心のある番組であって盛り上がっている場面を煩雑な操作を行わずに確実に視聴することが可能となる。特に、後日放送予定の番組の紹介等を行うことにより話題が盛り上がった場合であっても、確実にその番組を視聴することができる。
【符号の説明】
【００４１】
１２  ディスクプレーヤ
１４  ＴＶチューナ
３０  制御部
３１  ＥＰＧ取得部
３２  関心事項決定部
３３  投稿情報取得部
３４  盛り上がり検出部
３５  番組内容判定部
３６  番組受信切替部
３７  番組予約部
４０  操作部
４２  通信装置
１００  車載装置
【図１】
2015095663.tif 000003
【図２】
2015095663.tif 000004
【図３】
2015095663.tif 000005
【図４】
2015095663.tif 000006